Podtech/llm-jp-corpus-v4-ja_patent huggingface dataset:
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
発射手段と、
該発射手段によって発射された遊技球が流下する流下領域と、
該流下領域の所定の領域を通過した遊技球を検知する複数の所定検知手段と、
該複数の所定検知手段と電気的に接続され、遊技に対する遊技価値を付与するための処理を実行する遊技価値付与手段と、
該遊技価値付与手段と電気的に接続され、所定の処理を実行する処理実行手段と、
を備える遊技機であって、
前記遊技価値付与手段は、
前記遊技に対する遊技価値を付与するための処理に用いられる情報であって、前記所定検出手段の検出に対して参照される参照用情報を記憶する第１参照用情報記憶手段と、
当該遊技機への電力の所定の供給が開始された後であって遊技を進行させるための所定処理の実行を開始する前に、前記第１参照用情報記憶手段に記憶されている前記参照用情報に対応した参照用情報信号を前記処理実行手段に対して送信する第１送信手段と、
前記所定検知手段による検知に基づいて取得された情報である入球情報に基づく所定情報信号を前記処理実行手段に対して送信する第２送信手段と、
を備え、
前記処理実行手段は、
前記遊技価値付与手段から送信された前記参照用情報信号に対応した参照用情報を記憶する第２参照用情報記憶手段と、
前記第２送信手段から送信された前記所定情報信号と、前記第２参照用情報記憶手段に記憶された前記参照用情報とに基づいて前記所定の処理を実行する実行手段と、
該実行手段による前記所定の処理の処理結果に関する情報である処理結果情報を記憶する処理結果情報記憶手段と、を備える
ことを特徴とする遊技機。
【手続補正２】
【補正対象書類名】明細書
【補正対象項目名】０００２
【補正方法】変更
【補正の内容】
【０００２】
従来より、複数の入賞口が設けられた遊技領域へ、遊技媒体を発射手段により発射し、その遊技媒体がいずれかの入賞口に入賞すると、入賞した入賞口に対して予め定められた数の遊技媒体が遊技者に払い出される遊技機がある（例えば、特許文献１）。
【手続補正３】
【補正対象書類名】明細書
【補正対象項目名】０００４
【補正方法】変更
【補正の内容】
【０００４】
さて、その入賞口への遊技媒体の入賞に対して、何らかの影響が及ぼされると、設計通りの遊技が行われない可能性がある。
【手続補正４】
【補正対象書類名】明細書
【補正対象項目名】０００５
【補正方法】変更
【補正の内容】
【０００５】
本発明は、上記事情に鑑みてなされたものであり、入賞口への遊技媒体の入賞に対する影響を好適に発見可能な遊技機を提供することを目的とする。
【手続補正５】
【補正対象書類名】明細書
【補正対象項目名】０００６
【補正方法】変更
【補正の内容】
【０００６】
この目的を達成するために請求項１記載の遊技機は、発射手段と、該発射手段によって発射された遊技球が流下する流下領域と、該流下領域の所定の領域を通過した遊技球を検知する複数の所定検知手段と、該複数の所定検知手段と電気的に接続され、遊技に対する遊技価値を付与するための処理を実行する遊技価値付与手段と、該遊技価値付与手段と電気的に接続され、所定の処理を実行する処理実行手段と、備えるものであって、前記遊技価値付与手段は、前記遊技に対する遊技価値を付与するための処理に用いられる情報であって、前記所定検出手段の検出に対して参照される参照用情報を記憶する第１参照用情報記憶手段と、当該遊技機への電力の所定の供給が開始された後であって遊技を進行させるための所定処理の実行を開始する前に、前記第１参照用情報記憶手段に記憶されている前記参照用情報に対応した参照用情報信号を前記処理実行手段に対して送信する第１送信手段と、前記所定検知手段による検知に基づいて取得された情報である入球情報に基づく所定情報信号を前記処理実行手段に対して送信する第２送信手段と、を備え、前記処理実行手段は、前記遊技価値付与手段から送信された前記参照用情報信号に対応した参照用情報を記憶する第２参照用情報記憶手段と、前記第２送信手段から送信された前記所定情報信号と、前記第２参照用情報記憶手段に記憶された前記参照用情報とに基づいて前記所定の処理を実行する実行手段と、該実行手段による前記所定の処理の処理結果に関する情報である処理結果情報を記憶する処理結果情報記憶手段と、を備える。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明の遊技機によれば、発射手段と、該発射手段によって発射された遊技球が流下する流下領域と、該流下領域の所定の領域を通過した遊技球を検知する複数の所定検知手段と、該複数の所定検知手段と電気的に接続され、遊技に対する遊技価値を付与するための処理を実行する遊技価値付与手段と、該遊技価値付与手段と電気的に接続され、所定の処理を実行する処理実行手段と、備えるものであって、前記遊技価値付与手段は、前記遊技に対する遊技価値を付与するための処理に用いられる情報であって、前記所定検出手段の検出に対して参照される参照用情報を記憶する第１参照用情報記憶手段と、当該遊技機への電力の所定の供給が開始された後であって遊技を進行させるための所定処理の実行を開始する前に、前記第１参照用情報記憶手段に記憶されている前記参照用情報に対応した参照用情報信号を前記処理実行手段に対して送信する第１送信手段と、前記所定検知手段による検知に基づいて取得された情報である入球情報に基づく所定情報信号を前記処理実行手段に対して送信する第２送信手段と、を備え、前記処理実行手段は、前記遊技価値付与手段から送信された前記参照用情報信号に対応した参照用情報を記憶する第２参照用情報記憶手段と、前記第２送信手段から送信された前記所定情報信号と、前記第２参照用情報記憶手段に記憶された前記参照用情報とに基づいて前記所定の処理を実行する実行手段と、該実行手段による前記所定の処理の処理結果に関する情報である処理結果情報を記憶する処理結果情報記憶手段と、を備えるので、入賞口への遊技媒体の入賞に対する影響を好適に発見できるという効果がある。
【手続補正８】
【補正対象書類名】明細書
【補正対象項目名】０００９
【補正方法】削除
【補正の内容】
【手続補正書】
【提出日】令和2年8月1日(2020.8.1)
【手続補正１】
【補正対象書類名】特許請求の範囲
【補正対象項目名】全文
【補正方法】変更
【補正の内容】
【特許請求の範囲】
【請求項１】
枠体と、
前記枠体に対して着脱可能な遊技盤と、
前記枠体に対して着脱可能に設けられ、遊技の進行に伴う遊技演出において前記枠体に対して動作可能な演出可動体を有して構成される演出実行手段と、
前記演出実行手段が前記遊技盤と対応するか否かを判別可能な判別手段と、
前記判別手段により対応しないと判別された場合に、その旨を報知する報知手段と、
を備えることを特徴とする遊技機。
【手続補正２】
【補正対象書類名】明細書
【補正対象項目名】０００５
【補正方法】変更
【補正の内容】
【０００５】
本発明は、上記事情に鑑みてなされたものであり、その目的とするところは、遊技に支障をきたすといった問題の解消に寄与することが可能な遊技機を提供することにある。
【手続補正３】
【補正対象書類名】明細書
【補正対象項目名】０００６
【補正方法】変更
【補正の内容】
【０００６】
前述の課題を解決するために、本発明は以下の手段を採ることとした。
すなわち、手段１の遊技機は、
枠体と、
前記枠体に対して着脱可能な遊技盤と、
前記枠体に対して着脱可能に設けられ、遊技の進行に伴う遊技演出において前記枠体に対して動作可能な演出可動体を有して構成される演出実行手段と、
前記演出実行手段が前記遊技盤と対応するか否かを判別可能な判別手段と、
前記判別手段により対応しないと判別された場合に、その旨を報知する報知手段と、
を備えることを要旨とする。
【手続補正４】
【補正対象書類名】明細書
【補正対象項目名】０００７
【補正方法】変更
【補正の内容】
【０００７】
以上の本発明によれば、遊技に支障をきたすといった問題の解消に寄与することが可能である。
【手続補正書】
【提出日】令和2年8月1日(2020.8.1)
【手続補正１】
【補正対象書類名】特許請求の範囲
【補正対象項目名】全文
【補正方法】変更
【補正の内容】
【特許請求の範囲】
【請求項１】
枠体と、
前記枠体に対して着脱可能な遊技盤と、
前記遊技盤が装着される前記枠体についての適否を判別可能な判別手段と、
を備えることを特徴とする遊技機。
【請求項２】
前記判別手段によって不適であると判別された場合に、その旨を報知する報知手段を備える
ことを特徴とする請求項１に記載の遊技機。
【請求項３】
前記判別手段は、当該遊技機への電源供給の開始に基づいて適否を判別する
ことを特徴とする請求項１または請求項２に記載の遊技機。
【請求項４】
前記枠体は、その表側に設けられる所定の枠部品を含んで構成されており、
前記判別手段は、前記枠部品の適否を判別する
ことを特徴とする請求項１から請求項３の何れか一項に記載の遊技機。
【請求項５】
前記枠部品は、前記枠体に対して着脱可能に設けられる
ことを特徴とする請求項４に記載の遊技機。
【請求項６】
所定の制御を実行する制御手段を備え、
前記枠部品は、遊技の進行に伴う遊技演出で動作可能な演出用部品であり、
前記制御手段は、前記遊技演出の実行を制御するものであって、前記判別手段によって前記演出用部品が適切であると判別された場合に、該演出用部品を動作可能とする
ことを特徴とする請求項４または請求項５に記載の遊技機。
【請求項７】
前記演出用部品は複数種設けられており、
前記制御手段は、前記複数種の演出用部品のうち、前記判別手段によって適切であると判別された演出用部品を動作可能とし、前記判別手段によって不適であると判別された演出用部品を動作不能とする
ことを特徴とする請求項６に記載の遊技機。
【請求項８】
前記枠部品は、該枠部品に係る識別信号を出力可能な枠部品基板を有しており、
前記枠部品基板は、前記判別手段と接続されるものであり、
前記判別手段は、
前記識別信号に係る信号情報を記憶する信号情報記憶部を有しており、
前記枠部品基板からの前記識別信号が前記信号情報記憶部に記憶された信号情報と一致する場合に適切であると判別し、一致しない場合に不適であると判別する
ことを特徴とする請求項４から請求項７の何れか一項に記載の遊技機。
【請求項９】
前記識別信号は、複数のビットにより構成され、該複数のビットのうち特定のビットを機種に応じたビット値とすることで、機種に応じた識別信号とされる
ことを特徴とする請求項８に記載の遊技機。
【手続補正２】
【補正対象書類名】明細書
【補正対象項目名】０００５
【補正方法】変更
【補正の内容】
【０００５】
本発明は、上記事情に鑑みてなされたものであり、その目的とするところは、遊技に支障をきたすといった問題の解消に寄与することが可能な遊技機を提供することにある。
【手続補正３】
【補正対象書類名】明細書
【補正対象項目名】０００６
【補正方法】変更
【補正の内容】
【０００６】
前述の課題を解決するために、本発明は以下の手段を採ることとした。
すなわち、手段１の遊技機は、
枠体と、
前記枠体に対して着脱可能な遊技盤と、
前記遊技盤が装着される前記枠体についての適否を判別可能な判別手段と、
を備えることを要旨とする。
また、手段２の遊技機は、前述した手段１の遊技機において、
前記判別手段によって不適であると判別された場合に、その旨を報知する報知手段を備える
ことを要旨とする。
手段３の遊技機は、前述した手段１または手段２の遊技機において、
前記判別手段は、当該遊技機への電源供給の開始に基づいて適否を判別する
ことを要旨とする。
手段４の遊技機は、前述した手段１から手段３の何れか一つの遊技機において、
前記枠体は、その表側に設けられる所定の枠部品を含んで構成されており、
前記判別手段は、前記枠部品の適否を判別する
ことを要旨とする。
手段５の遊技機は、前述した手段４の遊技機において、
前記枠部品は、前記枠体に対して着脱可能に設けられる
ことを要旨とする。
手段６の遊技機は、前述した手段４または手段５の遊技機において、
所定の制御を実行する制御手段を備え、
前記枠部品は、遊技の進行に伴う遊技演出で動作可能な演出用部品であり、
前記制御手段は、前記遊技演出の実行を制御するものであって、前記判別手段によって前記演出用部品が適切であると判別された場合に、該演出用部品を動作可能とする
ことを要旨とする。
手段７の遊技機は、前述した手段６の遊技機において、
前記演出用部品は複数種設けられており、
前記制御手段は、前記複数種の演出用部品のうち、前記判別手段によって適切であると判別された演出用部品を動作可能とし、前記判別手段によって不適であると判別された演出用部品を動作不能とする
ことを要旨とする。
手段８の遊技機は、前述した手段４から手段７の何れか一つの遊技機において、
前記枠部品は、該枠部品に係る識別信号を出力可能な枠部品基板を有しており、
前記枠部品基板は、前記判別手段と接続されるものであり、
前記判別手段は、
前記識別信号に係る信号情報を記憶する信号情報記憶部を有しており、
前記枠部品基板からの前記識別信号が前記信号情報記憶部に記憶された信号情報と一致する場合に適切であると判別し、一致しない場合に不適であると判別する
ことを要旨とする。
手段９の遊技機は、前述した手段８の遊技機において、
前記識別信号は、複数のビットにより構成され、該複数のビットのうち特定のビットを機種に応じたビット値とすることで、機種に応じた識別信号とされる
ことを要旨とする。
【手続補正４】
【補正対象書類名】明細書
【補正対象項目名】０００７
【補正方法】変更
【補正の内容】
【０００７】
以上の本発明によれば、遊技に支障をきたすといった問題の解消に寄与することが可能である。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
遊技領域に発射された遊技球を入球可能な始動口と、
大入賞口を開閉する可動片を備え、且つ該大入賞口を介して遊技球を流入可能な閉鎖作動領域を備えてなる可変入賞装置と、
前記始動口への遊技球の入球を契機として、前記可変入賞装置の可動片を開放作動すると共に、前記大入賞口から閉鎖作動領域内への遊技球の流入に基づいて、所定の特別遊技条件が成立すると、前記可動片を所定の開閉作動態様により開閉作動させる特別遊技を実行する特別遊技制御手段とを備えた弾球遊技機において、
前記特別遊技制御手段は、
前記始動口への入球を作動契機とする前記可動片の開放作動の開放回数値として２回を含む複数の開放回数値を備え、該始動口への遊技球の入球を契機として、いずれか一の開放回数値を選択する抽選を、予め設定された抽出確率に従って行う開放数抽選手段と、
該開放数抽選手段により選択された開放回数値に従って、前記可変入賞装置の可動片を開放作動する可動片作動制御手段とを備えてなるものであり、
前記開放数抽選手段の抽出確率のうち少なくとも前記２回の開放回数値の抽出確率を定めるものであって、相互に異なる複数の前記抽出確率を備え、管理者の操作によっていずれか一の抽出確率を有効としてセットされる確率セット手段を備えていることを特徴とする弾球遊技機。
【請求項２】
前記複数の開放回数値に零回を含むことを特徴とする請求項１に記載の弾球遊技機。
【請求項３】
遊技領域に発射された遊技球を入球可能な始動口と、
大入賞口を開閉する可動片を備え、且つ該大入賞口を介して遊技球を流入可能な閉鎖作動領域を備えてなる可変入賞装置と、
前記始動口への遊技球の入球を作動契機とする前記可動片の開放作動により前記大入賞口から閉鎖作動領域内に遊技球が流入することに基づいて、所定の特別遊技条件が成立すると、前記可動片の開閉作動により発生させる開閉ラウンドを所定回数繰り返す特別遊技を実行する特別遊技制御手段とを備えた弾球遊技機において、
前記特別遊技制御手段は、
前記特別遊技の非実行中における大入賞口への遊技球の入球を契機として、予め設定された当選確率に従って当否抽選を行う当否抽選手段と、
該当否抽選で当りとなることにより、前記特別遊技条件が成立すると、前記特別遊技を実行する特別作動手段とを備えてなるものであり、
前記当否抽選手段の当選確率を定めるものであって、相互に異なる複数の前記当選確率を備え、管理者の操作によっていずれか一の当選確率を有効としてセットされる確率セット手段を備えていることを特徴とする弾球遊技機。
【手続補正２】
【補正対象書類名】明細書
【補正対象項目名】０００６
【補正方法】変更
【補正の内容】
【０００６】
本発明の第一発明は、遊技領域に発射された遊技球を入球可能な始動口と、大入賞口を開閉する可動片を備え、且つ該大入賞口を介して遊技球を流入可能な閉鎖作動領域を備えてなる可変入賞装置と、前記始動口への遊技球の入球を契機として、前記可変入賞装置の可動片を開放作動すると共に、前記大入賞口から閉鎖作動領域内への遊技球の流入に基づいて、所定の特別遊技条件が成立すると、前記可動片を所定の開閉作動態様により開閉作動させる特別遊技を実行する特別遊技制御手段とを備えた弾球遊技機において、前記特別遊技制御手段は、前記始動口への入球を作動契機とする前記可動片の開放作動の開放回数値として２回を含む複数の開放回数値を備え、該始動口への遊技球の入球を契機として、いずれか一の開放回数値を選択する抽選を、予め設定された抽出確率に従って行う開放数抽選手段と、該開放数抽選手段により選択された開放回数値に従って、前記可変入賞装置の可動片を開放作動する可動片作動制御手段とを備えてなるものであり、前記開放数抽選手段の抽出確率のうち少なくとも前記２回の開放回数値の抽出確率を定めるものであって、相互に異なる複数の前記抽出確率を備え、管理者の操作によっていずれか一の抽出確率を有効としてセットされる確率セット手段を備えていることを特徴とする弾球遊技機である。
【手続補正３】
【補正対象書類名】明細書
【補正対象項目名】００１１
【補正方法】変更
【補正の内容】
【００１１】
上述した第一発明の弾球遊技機であって、開放数抽選手段により抽出される開放回数値に零回を含むのが、本発明の第二発明である。
【手続補正４】
【補正対象書類名】明細書
【補正対象項目名】００１２
【補正方法】削除
【補正の内容】
【手続補正５】
【補正対象書類名】明細書
【補正対象項目名】００１７
【補正方法】変更
【補正の内容】
【００１７】
尚、第三発明にあっては、当否抽選の結果を報知する図柄表示装置を備えた構成とすることもできる。この図柄表示装置としては、所定の図柄を変動表示し、該図柄の停止図柄態様によって、当否抽選手段の当否抽選の結果を報知する構成が好適である。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
制御手段と、
操作者の操作を受け付ける操作手段と、
を備えたコーヒー製造装置であって、
前記制御手段は、手動モード又は自動モードでコーヒーの製造に必要な製造動作を制御可能であり、
前記手動モードは、前記操作手段に対する操作に従って、前記製造動作を制御可能なモードであり、
前記制御手段は、前記手動モードで行われた前記製造動作の制御内容を保存手段に保存可能であり、
前記自動モードは、前記保存手段に保存された前記製造動作の制御内容に従って、前記製造動作を制御可能なモードであり、
前記制御手段は、前記操作手段に対する操作に従って、前記保存手段に保存された前記製造動作の制御内容を修正可能であり、
前記自動モードは、修正された前記製造動作の制御内容に従って、前記製造動作を制御可能なモードである、
ことを特徴とするコーヒー製造装置。
【請求項２】
請求項１に記載のコーヒー製造装置であって、
前記手動モードは、特定の操作者のみに選択を許容しているモードである、
ことを特徴とするコーヒー製造装置。
【請求項３】
請求項１又は請求項２に記載のコーヒー製造装置であって、
前記製造動作の制御内容の修正は、特定の操作者のみに許容される機能である、
ことを特徴とするコーヒー製造装置。
【請求項４】
請求項１乃至請求項３のいずれか一項に記載のコーヒー製造装置であって、
コーヒー豆からコーヒーを抽出する抽出手段と、
前記抽出手段を覆うカバー体と、を備え、
前記カバー体は、前記抽出手段によってコーヒーが抽出される様子を外部から視認可能にする透過部が設けられている、
ことを特徴とするコーヒー製造装置。
【請求項５】
請求項１乃至請求項４のいずれか一項に記載のコーヒー製造装置であって、
前記制御手段は、操作者によるスタート操作に応じて、自動モード又は手動モードで一連の製造動作を制御可能であり、
前記手動モードは、前記一連の製造動作におけるある製造動作の実行中の操作者の操作に応じて、該ある製造動作の制御を終了し次の製造動作の制御を開始可能なモードである、
ことを特徴とするコーヒー製造装置。
【請求項６】
操作者の操作を受け付ける操作手段を備えたコーヒー製造手段の制御方法であって、
前記制御方法は、手動モード又は自動モードでコーヒーの製造に必要な製造動作を制御する工程を含み、
前記手動モードは、操作者の操作に従って、前記製造動作を制御可能なモードであり、
前記自動モードは、前記手動モードで行われた前記製造動作の手動制御内容に従って、前記製造動作を制御可能なモードであり、
前記自動モードは、操作者の操作によって修正された前記手動制御内容に従って、前記製造動作を制御可能なモードである、
ことを特徴とする制御方法。
【手続補正２】
【補正対象書類名】明細書
【補正対象項目名】発明の名称
【補正方法】変更
【補正の内容】
【発明の名称】コーヒー製造装置及び制御方法
【手続補正３】
【補正対象書類名】明細書
【補正対象項目名】０００６
【補正方法】変更
【補正の内容】
【０００６】
本発明によれば、
制御手段と、
操作者の操作を受け付ける操作手段と、
を備えたコーヒー製造装置であって、
前記制御手段は、手動モード又は自動モードでコーヒーの製造に必要な製造動作を制御可能であり、
前記手動モードは、前記操作手段に対する操作に従って、前記製造動作を制御可能なモードであり、
前記制御手段は、前記手動モードで行われた前記製造動作の制御内容を保存手段に保存可能であり、
前記自動モードは、前記保存手段に保存された前記製造動作の制御内容に従って、前記製造動作を制御可能なモードであり、
前記制御手段は、前記操作手段に対する操作に従って、前記保存手段に保存された前記製造動作の制御内容を修正可能であり、
前記自動モードは、修正された前記製造動作の制御内容に従って、前記製造動作を制御可能なモードである、
ことを特徴とするコーヒー製造装置が提供される。
また、本発明によれば、
操作者の操作を受け付ける操作手段を備えたコーヒー製造手段の制御方法であって、
前記制御方法は、手動モード又は自動モードでコーヒーの製造に必要な製造動作を制御する工程を含み、
前記手動モードは、操作者の操作に従って、前記製造動作を制御可能なモードであり、
前記自動モードは、前記手動モードで行われた前記製造動作の手動制御内容に従って、前記製造動作を制御可能なモードであり、
前記自動モードは、操作者の操作によって修正された前記手動制御内容に従って、前記製造動作を制御可能なモードである、
ことを特徴とする制御方法が提供される。
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
外枠と、該外枠に開閉可能に設けられる本体枠と、該本体枠に設けられる開閉可能な扉枠と、該本体枠に着脱可能に取り付けられる遊技盤と、を備え、発射手段により発射された遊技球が前記遊技盤の前面側に形成される遊技領域に設けられる受入口への入球に基づいて抽選を行い、該抽選の結果が当りになることに基づいて遊技者に利益を付与することができる遊技機であって、
前記遊技機の電源投入を行うことができる電源投入手段と、
第１操作を受け付けることができる第１操作部と、
第２操作と第３操作を受け付けることができる第２操作部と、
前記遊技機の電源遮断後においても各種情報を記憶領域に記憶保持することができる記憶手段と、
前記記憶手段に記憶保持される情報を初期化する情報初期化手段と、
前記抽選における当選確率に関する設定情報を設定可能な第１状態を発生させる第１状態発生手段と、
前記設定情報を確認可能な第２状態を発生させる第２状態発生手段と、
を備え、
前記第１状態発生手段は、前記第１操作部に対する前記第１操作と、前記第２操作部に対する前記第２操作と、を行なった状態で前記電源投入手段により前記遊技機の電源投入がされると前記第１状態を発生させることが可能であり、
前記第２状態発生手段は、前記第１操作部に対する前記第１操作を行うことなく前記第２操作部に対する前記第２操作を行なった状態で前記電源投入手段により前記遊技機の電源投入がされると前記第２状態を発生させることが可能であり、
さらに、前記第２操作部に対する操作として前記第２操作が行われた場合に特定信号を出力可能とし、前記第２操作部に対する操作として前記第３操作が行われた場合に特別信号を出力可能とするものであり、
前記第１状態発生手段は、前記第２操作による前記特定信号の出力を特定して前記第１状態を発生させ、前記第１状態中に行われた前記第３操作による前記特別信号の出力を特定して前記設定情報を設定する、
ことを特徴とする遊技機。
【手続補正２】
【補正対象書類名】明細書
【補正対象項目名】０００７
【補正方法】変更
【補正の内容】
【０００７】
外枠と、該外枠に開閉可能に設けられる本体枠と、該本体枠に設けられる開閉可能な扉枠と、該本体枠に着脱可能に取り付けられる遊技盤と、を備え、発射手段により発射された遊技球が前記遊技盤の前面側に形成される遊技領域に設けられる受入口への入球に基づいて抽選を行い、該抽選の結果が当りになることに基づいて遊技者に利益を付与することができる遊技機であって、
前記遊技機の電源投入を行うことができる電源投入手段と、
第１操作を受け付けることができる第１操作部と、
第２操作と第３操作を受け付けることができる第２操作部と、
前記遊技機の電源遮断後においても各種情報を記憶領域に記憶保持することができる記憶手段と、
前記記憶手段に記憶保持される情報を初期化する情報初期化手段と、
前記抽選における当選確率に関する設定情報を設定可能な第１状態を発生させる第１状態発生手段と、
前記設定情報を確認可能な第２状態を発生させる第２状態発生手段と、
を備え、
前記第１状態発生手段は、前記第１操作部に対する前記第１操作と、前記第２操作部に対する前記第２操作と、を行なった状態で前記電源投入手段により前記遊技機の電源投入がされると前記第１状態を発生させることが可能であり、
前記第２状態発生手段は、前記第１操作部に対する前記第１操作を行うことなく前記第２操作部に対する前記第２操作を行なった状態で前記電源投入手段により前記遊技機の電源投入がされると前記第２状態を発生させることが可能であり、
さらに、前記第２操作部に対する操作として前記第２操作が行われた場合に特定信号を出力可能とし、前記第２操作部に対する操作として前記第３操作が行われた場合に特別信号を出力可能とするものであり、
前記第１状態発生手段は、前記第２操作による前記特定信号の出力を特定して前記第１状態を発生させ、前記第１状態中に行われた前記第３操作による前記特別信号の出力を特定して前記設定情報を設定する、
ことを特徴とする。
また、本願発明とは別の発明として、以下の手段を参考的に開示する。
（解決手段１）
抽選手段による抽選結果に基づいて遊技の進行を行うことができる遊技機であって、操作部を有する操作手段と、前記遊技機の電源投入を行うことができる電源投入手段と、前記遊技機の起動時に実行することができる複数の起動時動作設定情報のうちいずれか一つを選択することができる選択手段と、前記遊技機の電源遮断後においても各種情報を記憶保持することができる記憶手段と、前記選択手段による起動時動作設定情報の選択を許可することができる選択許可手段と、起動時動作設定情報を決定することができる決定手段と、前記決定手段により決定された起動時動作設定情報を前記記憶手段の特定領域に記憶保持する制御を行うことができる情報記憶制御手段と、前記記憶手段の特定領域を除く他の領域に記憶保持される情報を消去する制御を行うことができる情報消去制御手段と、前記記憶手段の特定領域に記憶保持される起動時動作設定情報に基づいて前記遊技機の起動を実行する制御を行うことができる起動実行制御手段と、を備え、前記選択許可手段により起動時動作設定情報の選択が許可される状態にした後に前記電源投入手段により前記遊技機の電源投入が行われると、前記選択手段により選択される起動時動作設定情報が前記決定手段により決定されて前記情報記憶制御手段により前記記憶手段の特定領域に記憶保持され、当該記憶手段の特定領域を除く他の領域に記憶保持される情報が前記情報消去制御手段により消去され、当該記憶手段の特定領域に記憶保持される起動時動作設定情報に基づいて前記遊技機の起動が前記起動実行制御手段により実行される一方、前記選択許可手段により起動時動作設定情報の選択が許可される状態にせず前記電源投入手段により前記遊技機の電源投入が行われて予め定めた期間内に前記操作手段の操作部が操作されると、前記記憶手段の特定領域を除く他の領域に記憶保持される情報が前記情報消去制御手段により消去され、当該記憶手段の特定領域に記憶保持される起動時動作設定情報に基づいて前記遊技機の起動が前記起動実行制御手段により実行される、ことを特徴とする遊技機。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
遊技領域に設けられる受入口に遊技球が入球したことによる抽選の結果に基づいて遊技の進行を行うことができる遊技機であって、
前記遊技機の電源投入を行うことができる電源投入手段と、
第１操作を受け付けることができる第１操作部と、
第２操作を受け付けることができる第２操作部と、
所定の情報を表示可能な表示部と、
前記遊技機の電源遮断後においても各種情報を記憶領域に記憶保持することができる記憶手段と、
前記記憶手段に記憶保持される情報を初期化する処理を行う情報初期化手段と、
前記抽選に関する設定情報を決定可能な第１状態を発生させる第１状態発生手段と、
前記設定情報を確認可能な第２状態を発生させる第２状態発生手段と、
を備え、
前記第１状態発生手段は、前記第１操作部に対する第１操作と、前記第２操作部に対する第２操作と、を行なった状態で前記電源投入手段により前記遊技機の電源投入がされると前記第１状態を発生させることが可能であり、
前記第２状態発生手段は、前記第１操作部に対する第１操作を行うことなく前記第２操作部に対する第２操作を行なった状態で前記電源投入手段により前記遊技機の電源投入がされると前記第２状態を発生させることが可能であり、
前記情報初期化手段は、前記第１状態の発生に伴い前記記憶手段に記憶保持される情報を初期化する第１の初期化処理と、前記第１状態の発生に関係なく前記記憶手段に記憶保持される情報を初期化する第２の初期化処理とを実行可能である、
ことを特徴とする遊技機。
【手続補正２】
【補正対象書類名】明細書
【補正対象項目名】０００７
【補正方法】変更
【補正の内容】
【０００７】
本願発明は、
遊技領域に設けられる受入口に遊技球が入球したことによる抽選の結果に基づいて遊技の進行を行うことができる遊技機であって、
前記遊技機の電源投入を行うことができる電源投入手段と、
第１操作を受け付けることができる第１操作部と、
第２操作を受け付けることができる第２操作部と、
所定の情報を表示可能な表示部と、
前記遊技機の電源遮断後においても各種情報を記憶領域に記憶保持することができる記憶手段と、
前記記憶手段に記憶保持される情報を初期化する処理を行う情報初期化手段と、
前記抽選に関する設定情報を決定可能な第１状態を発生させる第１状態発生手段と、
前記設定情報を確認可能な第２状態を発生させる第２状態発生手段と、
を備え、
前記第１状態発生手段は、前記第１操作部に対する第１操作と、前記第２操作部に対する第２操作と、を行なった状態で前記電源投入手段により前記遊技機の電源投入がされると前記第１状態を発生させることが可能であり、
前記第２状態発生手段は、前記第１操作部に対する第１操作を行うことなく前記第２操作部に対する第２操作を行なった状態で前記電源投入手段により前記遊技機の電源投入がされると前記第２状態を発生させることが可能であり、
前記情報初期化手段は、前記第１状態の発生に伴い前記記憶手段に記憶保持される情報を初期化する第１の初期化処理と、前記第１状態の発生に関係なく前記記憶手段に記憶保持される情報を初期化する第２の初期化処理とを実行可能である、
ことを特徴とする。
また、本願発明とは別の発明として、以下の手段を参考的に開示する。
（解決手段１）
抽選手段による抽選結果に基づいて遊技の進行を行うことができる遊技機であって、第１操作を受け付けることができる第１操作部と、前記第１操作部と別体であって第２操作を受け付けることができる第２操作部と、前記遊技機の電源遮断後においても各種情報を記憶保持することができる記憶手段と、前記記憶手段の特定領域に第１情報を記憶保持する制御を行うことができる情報記憶制御手段と、前記記憶手段の特定領域を除く他の領域に記憶保持される第２情報を消去する制御を行うことができる情報消去制御手段と、を備え、前記第１操作部が前記第１操作を受け付けることができる期間において当該第１操作を受け付けると、前記情報記憶制御手段が前記記憶手段の特定領域に前記第１情報を記憶保持する制御を行った後に、前記情報消去制御手段が当該記憶手段の特定領域を除く他の領域に記憶保持される前記第２情報を消去する制御を行い、前記第２操作部が前記第２操作を受け付けることができる期間において当該第２操作を受け付けると、前記情報記憶制御手段が前記記憶手段の特定領域に前記第１情報を記憶保持する制御を行うことなく、前記情報消去制御手段が前記記憶手段の特定領域を除く他の領域に記憶保持される前記第２情報を消去する制御を行う、ことを特徴とする遊技機。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
遊技領域に設けられる受入口に遊技球が入球したことによる抽選の結果に基づいて遊技の進行を行うことができる遊技機であって、
操作可能な操作部と、
所定の情報を表示可能な表示部と、
前記遊技機の電源投入を行うことができる電源投入手段と、
前記遊技機の電源遮断後においても各種情報を記憶領域に記憶保持することができる記憶手段と、
前記記憶手段に記憶保持される情報を初期化する処理を行う情報初期化手段と、
前記抽選に関する設定情報を決定可能な第１状態を発生させる第１状態発生手段と、
前記設定情報を確認可能な第２状態を発生させる第２状態発生手段と、
を備え、
前記操作部の操作を行なった状態で前記電源投入手段により前記遊技機の電源投入が行なわれると、前記記憶領域のうちの特別記憶領域を除いて前記情報初期化手段による処理が行われ、
前記特別記憶領域には、遊技に用いられた遊技球数に関する特定情報が記憶されるものであり、該特定情報は前記表示部に表示可能であり、
前記第１状態と前記第２状態とにおいては、前記特定情報ではなく前記設定情報を前記表示部に表示可能である、
ことを特徴とする遊技機。
【手続補正２】
【補正対象書類名】明細書
【補正対象項目名】０００７
【補正方法】変更
【補正の内容】
【０００７】
遊技領域に設けられる受入口に遊技球が入球したことによる抽選の結果に基づいて遊技の進行を行うことができる遊技機であって、
操作可能な操作部と、
所定の情報を表示可能な表示部と、
前記遊技機の電源投入を行うことができる電源投入手段と、
前記遊技機の電源遮断後においても各種情報を記憶領域に記憶保持することができる記憶手段と、
前記記憶手段に記憶保持される情報を初期化する処理を行う情報初期化手段と、
前記抽選に関する設定情報を決定可能な第１状態を発生させる第１状態発生手段と、
前記設定情報を確認可能な第２状態を発生させる第２状態発生手段と、
を備え、
前記操作部の操作を行なった状態で前記電源投入手段により前記遊技機の電源投入が行なわれると、前記記憶領域のうちの特別記憶領域を除いて前記情報初期化手段による処理が行われ、
前記特別記憶領域には、遊技に用いられた遊技球数に関する特定情報が記憶されるものであり、該特定情報は前記表示部に表示可能であり、
前記第１状態と前記第２状態とにおいては、前記特定情報ではなく前記設定情報を前記表示部に表示可能である、
ことを特徴とする。
また、本願発明とは別の発明として、以下の手段を参考的に開示する。
（解決手段１）
抽選手段による抽選結果に基づいて遊技の進行を行うことができる遊技機であって、操作部を有する操作手段と、前記遊技機の電源投入を行うことができる電源投入手段と、遊技者にとって有利となる複数の設定情報のうちいずれか一つを選択することができる選択手段と、前記遊技機の電源遮断後においても各種情報を記憶保持することができる記憶手段と、前記選択手段による設定情報の選択を許可することができる選択許可手段と、設定情報を決定することができる決定手段と、前記決定手段により決定された設定情報を前記記憶手段の特定領域に記憶保持する制御を行うことができる情報記憶制御手段と、前記記憶手段の特定領域を除く他の領域に記憶保持される情報を消去する制御を行うことができる情報消去制御手段と、を備え、前記選択許可手段により設定情報の選択が許可される状態にした後に前記電源投入手段により前記遊技機の電源投入が行われると、前記選択手段により選択される設定情報が前記決定手段により決定され、該決定した設定情報が前記情報記憶制御手段により前記記憶手段の特定領域に記憶保持され、当該記憶手段の特定領域を除く他の領域に記憶保持される情報が前記情報消去制御手段により消去され、前記選択許可手段により設定情報の選択が許可される状態にせず前記電源投入手段により前記遊技機の電源投入が行われて予め定めた期間内に前記操作手段の操作部が操作されると、前記記憶手段の特定領域を除く他の領域に記憶保持される情報が前記情報消去制御手段により消去される、ことを特徴とする遊技機。
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
始動口への入球に起因して数値データを抽出する数値データ抽出手段と、
該抽出された前記数値データを記憶可能な保留記憶手段と、
該保留記憶手段に記憶された前記数値データに基づいて当否を判定する当否判定手段と、
該判定の結果を示す特別図柄を、変動表示させた後に確定表示する特別図柄表示装置と、
前記当否判定手段が当選と判定し、前記特別図柄表示装置に該当選を示す前記特別図柄が表示されることで開始する大当り遊技を制御する大当り遊技制御手段と、
前記当否判定手段による当否の判定よりも前に前記数値データを確認する数値データ確認手段と、
前記特別図柄の擬似演出を表示する演出表示手段と、
遊技者が操作可能な操作手段と、
演出に関する光が出力される発光体と、を備えた弾球遊技機において、
前記特別図柄の変動に応じた所定の前記擬似演出中に前記操作手段を用いた所定の操作が行われると当該操作に起因して、前記演出表示装置にて予告演出の表示が、前記発光体にて予告発光の出力が行われる場合があるようにし、
複数の前記予告演出の中より、前記演出表示装置に表示する前記予告演出を選択する予告演出選択手段と、
発光態様が異なる複数の前記予告発光の中より、出力する前記予告発光を選択する予告発光選択手段と、
を備え、
前記予告演出選択手段は、少なくとも、変動表示中の前記特別図柄の前記当否の判定結果に基づいて前記予告演出を選択し、
前記予告発光選択手段は、少なくとも、前記数値データ確認手段の確認結果に基づいて前記予告発光を選択し、
前記所定の操作を行ったことにより前記演出表示装置に前記予告演出が表示されると、当該予告演出専用の演出発光を出力する場合と、前記予告発光選択手段によって選択された前記予告発光を出力する場合とがあり、
前記予告発光の出力は、前記予告演出の表示を開始する前からは行われず、前記予告演出の表示を終了するまでに停止する
ことを特徴とする弾球遊技機。
【手続補正２】
【補正対象書類名】明細書
【補正対象項目名】０００７
【補正方法】変更
【補正の内容】
【０００７】
請求項１記載の弾球遊技機は、
始動口への入球に起因して数値データを抽出する数値データ抽出手段と、
該抽出された前記数値データを記憶可能な保留記憶手段と、
該保留記憶手段に記憶された前記数値データに基づいて当否を判定する当否判定手段と、
該判定の結果を示す特別図柄を、変動表示させた後に確定表示する特別図柄表示装置と、
前記当否判定手段が当選と判定し、前記特別図柄表示装置に該当選を示す前記特別図柄が表示されることで開始する大当り遊技を制御する大当り遊技制御手段と、
前記当否判定手段による当否の判定よりも前に前記数値データを確認する数値データ確認手段と、
前記特別図柄の擬似演出を表示する演出表示手段と、
遊技者が操作可能な操作手段と、
演出に関する光が出力される発光体と、を備えた弾球遊技機において、
前記特別図柄の変動に応じた所定の前記擬似演出中に前記操作手段を用いた所定の操作が行われると当該操作に起因して、前記演出表示装置にて予告演出の表示が、前記発光体にて予告発光の出力が行われる場合があるようにし、
複数の前記予告演出の中より、前記演出表示装置に表示する前記予告演出を選択する予告演出選択手段と、
発光態様が異なる複数の前記予告発光の中より、出力する前記予告発光を選択する予告発光選択手段と、
を備え、
前記予告演出選択手段は、少なくとも、変動表示中の前記特別図柄の前記当否の判定結果に基づいて前記予告演出を選択し、
前記予告発光選択手段は、少なくとも、前記数値データ確認手段の確認結果に基づいて前記予告発光を選択し、
前記所定の操作を行ったことにより前記演出表示装置に前記予告演出が表示されると、当該予告演出専用の演出発光を出力する場合と、前記予告発光選択手段によって選択された前記予告発光を出力する場合とがあり、
前記予告発光の出力は、前記予告演出の表示を開始する前からは行われず、前記予告演出の表示を終了するまでに停止する
ことを特徴とする弾球遊技機である。
【手続補正３】
【補正対象書類名】明細書
【補正対象項目名】００１１
【補正方法】変更
【補正の内容】
【００１１】
１回の特別図柄（特図とも記載）の変動中に操作手段を操作すると、当該操作を契機として当該変動表示が終了するまでに予告演出の表示と予告発光の出力とが行われればよいが、予告演出と予告発光とを同時に開始する構成がより好適である。
【手続補正４】
【補正対象書類名】明細書
【補正対象項目名】０１０７
【補正方法】変更
【補正の内容】
【０１０７】
パターンＢでは、演出ボタン６７の操作に応じて演出図柄表示装置６にレース予告Ａ表示からＤ表示のいずれかを表示することで変動中の図柄の期待度を示唆する。また、レース予告Ａ表示からＤ表示のそれぞれに専用の演出発光（発光体１００以外が発光）を行う。また、先読演出として保留記憶の期待度を示唆する発光予告演出は、専用の発光部である発光体１００のみで行われるため、レース予告Ａ表示からＤ表示の専用の演出発光の実施中であっても、発光体１００のみの発光態様により保留記憶の期待度が認識可能となる。なお、パターンＢの発光予告演出（先読演出）で実施する発光予告ＡからＤのそれぞれの期待度と出力割合は、パターンＢ専用に設定されており、演出ボタン６７操作時に保留記憶があっても、発光予告演出が実施されない場合もある。
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
光を出射する光源と、
前記光源からの光を参照光と測定光とに分割する分割手段と、
前記測定光を照射した被検査物からの戻り光と前記参照光とを合波して得た合波光に基づいて、前記被検査物の断層画像を形成する画像形成手段と、
前記測定光のフォーカスを調整するフォーカス調整手段と、
前記参照光の光路長を調整する光路長調整手段と、
前記フォーカス調整手段による前記フォーカス調整に連動して、前記光路長調整手段による前記参照光の光路長の調整を制御する制御手段と、
前記形成された断層画像を、表示手段の画像表示領域に表示する表示制御手段とを備え、
前記制御手段は、前記フォーカスの調整により、前記断層画像の所定の画像が前記画像表示領域の所定の位置から離れる場合は前記測定光の光路長の調整に基づいた前記光路長調整手段の制御を実行し、前記断層画像の前記所定の画像が前記画像表示領域の前記所定の位置に近づく場合は前記測定光の光路長の調整に基づいた前記光路長調整手段の制御を実行しないことを特徴とする画像取得装置。
【請求項２】
前記制御手段は、
前記フォーカス調整に伴う前記測定光の光路長の調整量に応じて、前記参照光の光路長を調整するように前記光路長調整手段を制御することを特徴とする請求項１に記載の画像取得装置。
【請求項３】
前記被検査物にフォーカス調整された観察光を照射することにより、前記被検査物を観察する観察光学系をさらに備え、
前記制御手段は、前記観察光学系のフォーカス調整により前記フォーカス調整手段を制御することを特徴とする請求項１又は２に記載の画像取得装置。
【請求項４】
前記フォーカス調整手段は測定光学系と観察光学系の共通の光路に配置されることを特徴とする請求項３に記載の画像取得装置。
【請求項５】
前記光路長調整手段は、複数の反射部材を含み、
前記フォーカス調整手段は、少なくとも１組の反射部材を含み、
前記制御手段は、前記少なくとも１組の反射部材の移動量に応じて、前記光路長調整手段の前記複数の反射部材を移動させるように制御することを特徴とする請求項１乃至４の何れか１項に記載の画像取得装置。
【請求項６】
前記フォーカス調整手段と前記光路長調整手段は第１のステージで構成され、
前記光路長調整手段の前記複数の反射部材を搭載する前記第１のステージに搭載された第２のステージをさらに備え、
前記光路長調整手段は、前記参照光の光路長の調整が指示された場合は、前記参照光の光路長を前記第２のステージの移動により調整することを特徴とする請求項５に記載の画像取得装置。
【請求項７】
光を出射する光源と、
前記光源からの光を参照光と測定光とに分割する分割手段と、
前記測定光を照射した被検査物からの戻り光と前記参照光とを合波して得た合波光に基づいて前記被検査物の断層画像を形成する画像形成手段と、
前記測定光のフォーカスを調整するフォーカス調整手段と、
前記参照光の光路長を調整する光路長調整手段と、
前記測定光のフォーカス調整を指示するフォーカス指示手段と、
前記参照光の光路長の調整を指示する光路長指示手段と、
前記フォーカス指示手段により前記測定光のフォーカス調整が指示された場合、前記フォーカス調整手段による調整と前記光路長調整手段による調整を連動させて制御し、前記光路長指示手段により前記参照光の光路長の調整が指示された場合、前記光路長調整手段による調整を前記フォーカス調整手段による調整と連動させずに制御する制御手段とを備えることを特徴とする画像取得装置。
【請求項８】
前記制御手段は、前記フォーカス調整に伴う前記測定光の光路長の調整量に応じて、前記参照光の光路長を調整するように前記光路長調整手段を制御することを特徴とする請求項７に記載の画像取得装置。
【請求項９】
前記形成された断層画像を表示手段の画像表示領域に表示する表示制御手段を更に備え、
前記制御手段は、前記フォーカス調整により、前記断層画像に含まれる所定の画像が前記画像表示領域の所定の位置に近づく場合は、前記測定光の光路長の調整に基づいた前記光路長調整手段の制御を行わないことを特徴とする請求項７又は８に記載の画像取得装置。
【請求項１０】
光源からの光を参照光と測定光とに分割する分割工程と、
前記測定光のフォーカスを調整するフォーカス調整と、前記参照光の光路長を調整する光路長調整とを連動するように制御する制御工程と、
前記測定光を照射した被検査物からの戻り光と前記参照光とを合波して得た合波光に基づいて、前記被検査物の断層画像を形成する画像形成工程と、
前記形成された断層画像を、表示手段の画像表示領域に表示する表示制御工程とを備え、
前記制御工程において、前記フォーカスの調整により、前記断層画像の所定の画像が前記画像表示領域の所定の位置から離れる場合は前記測定光の光路長の調整に基づいた前記光路長の調整が連動する制御を実行し、前記断層画像の前記所定の画像が前記画像表示領域の前記所定の位置に近づく場合は前記測定光の光路長の調整に基づいた前記光路長の調整を実行しないことを特徴とする画像取得装置の制御方法。
【手続補正２】
【補正対象書類名】明細書
【補正対象項目名】００１１
【補正方法】変更
【補正の内容】
【００１１】
本発明の画像取得装置は、光を出射する光源と、前記光源からの光を参照光と測定光とに分割する分割手段と、前記測定光を照射した被検査物からの戻り光と前記参照光とを合波して得た合波光に基づいて、前記被検査物の断層画像を形成する画像形成手段と、前記測定光のフォーカスを調整するフォーカス調整手段と、前記参照光の光路長を調整する光路長調整手段と、前記フォーカス調整手段による前記フォーカス調整に連動して、前記光路長調整手段による前記参照光の光路長の調整を制御する制御手段と、前記形成された断層画像を、表示手段の画像表示領域に表示する表示制御手段とを備え、前記制御手段は、前記フォーカスの調整により、前記断層画像の所定の画像が前記画像表示領域の所定の位置から離れる場合は前記測定光の光路長の調整に基づいた前記光路長調整手段の制御を実行し、前記断層画像の前記所定の画像が前記画像表示領域の前記所定の位置に近づく場合は前記測定光の光路長の調整に基づいた前記光路長調整手段の制御を実行しないことを特徴とする。
【手続補正書】
【提出日】令和2年7月13日(2020.7.13)
【手続補正１】
【補正対象書類名】明細書
【補正対象項目名】０００２
【補正方法】変更
【補正の内容】
【０００２】
従来、この種の布団敷板装置として、例えば、特許文献１に開示された「ふとん干し機能付きふとん敷き板装置」が知られている。図１０は、特許文献１に開示された布団敷板装置１１０の起立した状態を示す斜視図であり、図１１は、Ｄ矢視図である。図１０及び図１１に示すように、同文献に開示された布団敷板装置１１０は、桟１１５と桁１１３によってすのこ状に形成された２つの構成部材１１１、１１２を有し、２つの構成部材１１１、１１２は、それぞれの一辺にてヒンジ部１１７により開閉可能に結合されている。
【手続補正２】
【補正対象書類名】明細書
【補正対象項目名】００１４
【補正方法】変更
【補正の内容】
【００１４】
また、本発明の布団敷板装置によれば、横板の端面は、傾斜部よりも布団敷板装置の中心側にあっても良い。これにより、布団敷板装置の上に敷かれた布団類は、縁部が横板からはみ出したとしても傾斜部の上に置かれるようになるので、布団類の縁部が直接的に床面等に触れてしまうことが抑制される。よって、布団類の縁部が床面等に触れて汚れてしまうことや破れてしまうことが抑えられる。また、布団類と横板の端面との引っ掛かりも少なくなり、横板の端面による布団類の損傷も抑制することができる。また、横板の長さを短くすることができるので、横板の材料取りが容易になり、布団敷板装置の生産性を高めることができる。
【手続補正３】
【補正対象書類名】明細書
【補正対象項目名】００１５
【補正方法】変更
【補正の内容】
【００１５】
また、本発明の布団敷板装置によれば、支持体は、第１の敷板の縦材に対してそれぞれ回動自在に軸支されて第１の敷板の縦材に沿って配置される一対の縦材と、該縦材の上に取り付けられて布団敷板装置が平らになった状態において第１の敷板の横板と共に第１の敷板の上面を構成する横板と、支持体を構成する縦材の先端部に取り付けられて布団敷板装置が逆Ｖ字状に立てられた状態において第２の敷板に係合する係止部材と、を有し、係止部材は、第１の敷板の横板よりも幅が狭く、布団敷板装置が平らになった状態において第１の敷板の上面と面一になって第１の敷板の上面の一部を構成しても良い。このように、支持体の先端部に、第２の敷板を係合する部材として、横板よりも幅が狭い係止部材が設けられることにより、布団敷板装置が逆Ｖ字状に立てられた状態において、第２の敷板の下方から突出する支持体の先端部の突出寸法を小さくすることができる。よって、布団敷板装置を布団類干しとして利用する際に、起立した布団敷板装置の下部から突出する支持体の先端部が邪魔にならない。
【手続補正４】
【補正対象書類名】明細書
【補正対象項目名】００１６
【補正方法】変更
【補正の内容】
【００１６】
また、本発明の布団敷板装置によれば、支持体を構成する縦材には、布団敷板装置が逆Ｖ字状に立てられた状態において第２の敷板が載置される凹部が形成されている。これにより、第２の敷板の下部を布団敷板装置が設置される床面等に近づけることができ、起立した状態の布団敷板装置を安定させることができる。よって、布団敷板装置は、布団類干しとして利用される際に、布団類を安定して支えることができる。
【手続補正５】
【補正対象書類名】明細書
【補正対象項目名】００５２
【補正方法】変更
【補正の内容】
【００５２】
１０   布団敷板装置
１１   敷板
１２   敷板
１３、１４    縦材
１４ａ 傾斜部
１５   横板
１６   空所
１７   連結部材
１８   カバー部材
２０   支持体
２１   縦材
２２、２３    横板
２４   係止部材
２５   凹部
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
所定の進行を付与するために消費される消費価値の消費可能量を、当該消費可能量が所
定の規則に従って所定値まで漸次回復するとともに、各ユーザの所定の行動に基づいて所
定量回復するように案内するゲームを提供するゲームシステムであって、
前記所定値以下の部分の前記消費可能量に対応する残量と、前記所定の行動に伴う前記
所定量の回復によって前記消費可能量が前記所定値を超えた場合の当該所定値を超えた部
分の前記消費可能量に対応する超過量とが別々に認識されるように、前記残量及び前記超
過量を前記消費可能量として別々に案内する量案内手段と、
前記所定の進行を付与するために前記消費可能量が消費される場合に前記残量を前記超
過量よりも優先的に消費する価値消費手段と、
を備える、ゲームシステム。